(57)【特許請求の範囲】
【請求項１】
基礎上に大引きを取り付け、床板と該床板の下面に間隔を隔てて固定された複数の下面根太と隣接する下面根太間に介設された介設断熱材とを一体化してなる床パネル組立体の一端部を上記大引き上に接続するとともに、上記大引き上の上記床パネル組立体の外側に上り框を、上記大引きの外側に被覆材をそれぞれ取り付け、
上記上り框の上面と上記床パネル組立体における床板の上面間の隙間、上記被覆材の上端部と上り框の下面間の隙間、及び上記被覆材の下端部と上記基礎の上端部間の隙間を各々気密テープでシールしたことを特徴とする上り框部の気密構造。
【請求項２】
上記大引きは鋼等の金属からなり、上記被覆材の上端部と上り框の下面間の隙間及び上記被覆材の下端部と上記基礎の上端部間の隙間をシールする気密テープは防水機能を兼備することを特徴とする請求項１記載の上り框部の気密構造。
【請求項３】
上記被覆材は断熱材からなることを特徴とする請求項１又は２記載の上り框部の気密構造。
【発明の詳細な説明】
【０００１】
【発明の属する技術分野】
本発明は、床板と、該床板の下面に間隔を隔てて固定された複数の根太と、隣接する根太間に配置された断熱材とを一体化してなる床パネル組立体を用いた住宅において、上記床パネル組立体の一端部が接続される上り框部での気密性を十分に確保できる上り框部の気密構造に関する。
【０００２】
【従来の技術】
従来、住宅の床の施工に際しては、例えば、図９に示すように、互いに平行に架け渡された複数の根太１間に断熱材２を配置し、この断熱材２の上面を不図示の防湿層で被覆した後、隣接する根太１間に複数枚の床板３を配置し、隣接する床板３間の目地を不図示の気密テープで塞ぐようにしている。
【０００３】
ところが、上記施工方法では、根太１、断熱材２及び床板３等の床の各構成部材を順次施工するので、施工に手間が掛かる問題がある。そこで、図２に示すように、予め床板１１と、この床板１１の下面側に互いに平行に配置された複数の下面根太１２と、隣接する下面根太１２間に配置された介設断熱材１３（発泡スチロール製等）とを一体化してなる床パネル組立体１０を製作しておき、この床パネル組立体１０を隣接する大引き（図示せず）間に架け渡しながら、順次縦横に敷設するようにして、床の施工作業を容易化することが考えられる。
【０００４】
【発明が解決しようとする課題】
ところで、上記のような床パネル組立体１０を用いる場合、住宅の玄関等における上り框部では、例えば、上記上り框部における基礎に固定した大引き（図示せず）上に上記床パネル組立体１０の一端部を載置して固定するとともに、この床パネル組立体１０の外側に上り框を取り付けることが考えられる。その場合、上記上り框部における気密性、つまり、床パネル組立体１０の下方の空気の室内側への侵入防止をいかに確保するかが問題となる。また、上記大引きが鋼等の金属で形成されている場合、この大引き表面等での結露の発生を抑制することも技術的課題となる。
【０００５】
【課題を解決するための手段】
本発明は、上記課題に鑑みてなされたものであって、床板と根太と断熱材とを一体化した床パネル組立体を用いた住宅の上り框部において、十分な気密性を確保できる気密構造を提供することを技術課題とするものである。
【０００６】
そのため、本発明の請求項１の上り框部の気密構造は、基礎上に大引きを取り付け、床板と該床板の下面に間隔を隔てて固定された複数の下面根太と隣接する下面根太間に介設された介設断熱材とを一体化してなる床パネル組立体の一端部を上記大引き上に接続するとともに、上記大引き上の上記床パネル組立体の外側に上り框を、上記大引きの外側に被覆材をそれぞれ取り付け、上記上り框の上面と上記床パネル組立体における床板の上面間の隙間、上記被覆材の上端部と上り框の下面間の隙間、及び上記被覆材の下端部と上記基礎の上端部間の隙間を各々気密テープでシールしたことを特徴とするものである。
【０００７】
請求項２の上り框部の気密構造は、請求項１の構造において、上記大引きは鋼等の金属からなり、上記被覆材の上端部と上り框の下面間の隙間及び上記被覆材の下端部と上記基礎の上端部間の隙間を塞ぐ気密テープは防水機能を兼備することを特徴とするものである。
【０００８】
請求項３の上り框部の気密構造は、請求項１又は２の構造において、上記被覆材は断熱材からなることを特徴とするものである。
【０００９】
【発明の実施の形態】
以下、本発明の実施の形態を図面を参照しながら説明する。図１に示すように、住宅の床は複数の平面矩形状の床パネル組立体１０を縦横に配列することにより構成されている。各床パネル組立体１０は、図２に示したものと同一構成であり、合板又はパーティクルボード等からなる床板１１、複数の木製等の下面根太１２及び発泡スチロール製等の介設断熱材１３が一体化されたものである。
【００１０】
ここで、各床パネル組立体１０の前後方向については、図３に示すように、床板１１が下面根太１２及び介設断熱材１３に対して若干後方（住宅の奥側に対応）にずらして配置され、複数の床パネル組立体１０を隣接する大引き１４（角形鋼等）間に掛け渡しながら縦横に敷き詰めた状態で、各床パネル組立体１０における床板１０の後端突出部が後隣の床パネル組立体１０の前端部における下面根太１２及び介設断熱材１３上に重ねられるようになっている。このような重合せ状態で隣接する床パネル組立体１０同士を接着等で固定することにより、気密性の向上が図られている。
【００１１】
床パネル組立体１０の幅方向（住宅の幅方向に対応）に関しては、床板１１が下面根太１２及び介設断熱材１３に対して若干右側（図２参照）にずらして配置されている。そして、幅方向に隣接する床パネル組立体１０同士については、図４に示すように、各床パネル組立体１０の右端突出部が右隣に位置する床パネル組立体１０の左端の下面根太１２上に重ね合わせられた状態で接着剤等により固定されるようになっている。なお、隣接する大引き１４間において、床パネル組立体１０の下方には、下層断熱材１５を配置することができる。
【００１２】
以上説明したのは、住宅の周辺部以外の各部に配置された床パネル組立体１０の構成であり、具体的には説明しないが、住宅の周辺部に配置された床パネル組立体１０は、その位置に応じて、幅寸法又は前後寸法が通常の床パネル組立体１０の１／２程度とされる等の修正が適宜施されている。
【００１３】
次に、玄関１６における上り框部１７の気密構造及び上り框部１７の防水気密施工の施工手順につき説明する。なお、玄関１６以外の上り框部においても、以下で説明するのと同様の気密構造を採用できる。図５に示すように、玄関１６の周囲に沿って住宅の前後方向（奥行方向）に延びる基礎１８と幅方向に延びる基礎１９とが設けられている。
【００１４】
基礎１８上の玄関１６寄りの側端部（図５の左端部）近傍には角形鋼等の金属からなる大引き２１が基礎１８に沿って配置されている。この大引き２１は、基礎１８に接着された固定金具２０（図６参照）にビス等で固定されている。同様に、基礎１９上の玄関１６寄りの端部（図５の手前側端部）近傍には角形鋼等の金属製の大引き２２が配置されて、基礎１９に固定されている。
【００１５】
大引き２１上には、床パネル組立体１０ａの幅方向一端部（左端部）で床板１１の下面側に取り付けられた下面根太１２が載置され、不図示のビス等で固定されている。図１から明らかなように、この床パネル組立体１０ａは、通常の床パネル組立体１０の１／２程度の幅に形成されている。
【００１６】
大引き２１における玄関１６側の側面に沿って床帯板２３（被覆材）が配置され、ビス２４等（図７参照）で大引き２１に固定されている。そして、床帯板２３の下端部と基礎１８の上端部間に渡って防水気密テープ２５（気密テープ）が貼着され、結露水等の水分の発生する可能性のある大引き２１の表面での気密の確保が図られている。
【００１７】
図６にも示すように、上記大引き２２上の反玄関１６側端部には、通常の床パネル組立体１０の前端部（一端部）、より正確には、該床パネル組立体１０における下面根太１２及び介設断熱材１３の前端部が載置されている。また、下層断熱材１５は、その前端面が大引き２２の後面に当接している。なお、床パネル組立体１０の前端部を直接大引き２２上に接続する代わりに、大引き２２の後面側に、例えば、断面Ｌ形の支持部材（図示せず）を固定し、この支持部材上に床パネル組立体１０の前端部を接続するようにしてもよい。
【００１８】
床パネル組立体１０の前方における大引き２２上の玄関１６寄り部分には、この大引き２２と略平行に木製等の根太２６が取り付けられている。この根太２６の前面側には上り框２７が、根太２６の後面側から挿通されたビス３０等により取り付けられている。上り框２７の図５中右端下部には切欠き２７ａが形成され、切欠き２７ａが大引き２１及び床帯板２３上に係合されている。また、大引き２２の前面に沿って床帯板２８が配置され、上記と同様のビス２４等で大引き２２に固定されている。
【００１９】
上記床パネル組立体１０の床板１１と上り框２７間で、根太２６と床パネル組立体１０の下面根太１２及び介設断熱材１３上に床帯板２９が配置され、ビス２４等により根太２６及び床パネル組立体１０における下面根太１２の前端部等に固定されている。なお、上り框２７の上端部の玄関１６寄り部分には、根太２６への取付状態で、上記床パネル組立体１０の床板１１及び床帯板２９より上方へ張り出す張り出し部２７ｂが設けられている。
【００２０】
床帯板２９と床パネル組立体１０の床板１１間の隙間、及び床帯板２９と上り框２７間の隙間が各々気密テープ３１（アルミニウムテープ等）でシールされる一方、床帯板２８の上端部と上り框２７の下面間の隙間、及び床帯板２８の下端部と基礎１９の上端部間の隙間が各々防水気密テープ２５でシールされている。また、大引き２２の後面と基礎１９の後面間も、必要により、防水気密テープ２５でシールすることができる。
【００２１】
上記上り框部１７の施工に際しては、図７に示すように、まず、大引き２２上に床パネル組立体１０の前端部を取り付け、かつ大引き２２の前面に床帯板２８を取り付けて防水気密テープ２５により基礎１９との間をシールする。同様に、大引き２１の玄関１６側の側面に床帯板２３を取り付けて防水気密テープ２５により床帯板２３と基礎１８との間及び床帯板２３と大引き２１の上面間（図５参照）をシールする。
【００２２】
続いて、図８に示すように、順次、上り框２７及び床帯板２９を取り付けて防水気密テープ２５により上り框２７と床帯板２８間をシールするとともに、気密テープ３１により上り框２７と床帯板２９間及び床帯板２９と上記床板１１間をシールすればよい（図５等参照）。
【００２３】
なお、図５等には、簡単のため、上り框２７を１つのみ示したが、実際には、図１のように、例えば、左右２つの上り框２７を並設することもできる。その場合、個々の上り框２７を上記と同一の方法で取り付け、上記と同一の方法で気密性等を確保することができる。
【００２４】
上記構成によれば、下層断熱材１５以外に、床パネル組立体１０自体が介設断熱材１３を備えているので、十分な断熱性を確保できるとともに、予めユニット化された床パネル組立体１０を順次配置してゆくのみで、容易に床の施工を行える。
【００２５】
また、玄関１６等の上り框部においては、床下からの冷気又は湿気を帯びた空気等の侵入が各防水気密テープ２５及び各気密テープ３１で遮断されるので、十分な気密性が確保され、冬季における室内側の温度低下等の問題も軽減される。
【００２６】
さらに、大引き２１、２２の玄関１６側の表面を各々床帯板２３、２８で覆っているので、大引き２１、２２が鋼等の金属からなる場合も、床帯板２３、２８によって断熱性が確保され、大引き２１、２２の表面で結露が生じることが抑制される。
【００２７】
なお、上記各床帯板２３、２８に代えて、ポリエチレン等の合成樹脂からなる断熱材板で各大引き２１、２２の玄関１６側表面を覆うこともでき、これにより、断熱性を一層向上させて結露の発生を一層少なくすることができる。
【００２８】
【発明の効果】
以上説明したように、本発明の請求項１の上り框部の気密構造は、基礎上に大引きを取り付け、床板と該床板の下面に間隔を隔てて固定された複数の下面根太と隣接する下面根太間に介設された介設断熱材とを一体化してなる床パネル組立体の一端部を上記大引き上に接続するとともに、上記大引き上の上記床パネル組立体の外側に上り框を、上記大引きの外側に被覆材をそれぞれ取り付け、上記上り框の上面と上記床パネル組立体における床板の上面間の隙間、上記被覆材の上端部と上り框の下面間の隙間、及び上記被覆材の下端部と上記基礎の上端部間の隙間を各々気密テープでシールしたものであるから、床パネル組立体の床下の下方の空気（特に冷気等）が上記各隙間から室内側に侵入することが上記気密テープにより防止され、上り框部で十分な気密性を確保できるようになる。また、上記大引きの外側に被覆材を設けたので、大引きが鋼等の金属製である場合にも、上記被覆材の断熱効果により大引き表面等での結露の発生が抑制される利点がある。
【００２９】
請求項２の上り框部の気密構造は、請求項１の構造において、上記大引きは鋼等の金属からなり、上記被覆材の上端部と上り框の下面間の隙間及び上記被覆材の下端部と上記基礎の上端部間の隙間をシールする気密テープは防水機能を兼備するものであるから、金属製の大引き表面等で若干の結露等により水分が発生しても、上記防水機能を有する気密テープにより基礎等に対する粘着性を確保して、気密性を十分に確保できる利点がある。
【００３０】
請求項３の上り框部の気密構造は、請求項１又は２の構造において、上記被覆材は断熱材からなるものであるから、上記大引き表面での結露の発生を一層確実に防止できる利点がある。
【図面の簡単な説明】
【図１】本発明の実施の形態に係る住宅における床パネル組立体の配置を示す概略平面図である。
【図２】上記床パネル組立体を示す概略斜視図である。
【図３】図１のIII-III線に沿う拡大断面図である。
【図４】図３のIV-IV線に沿う断面図である。
【図５】上記床パネル組立体を用いた住宅の上り框部を示す概略斜視図である。
【図６】図５のVI-VI線に沿う概略断面図である。
【図７】上記住宅の上り框部の防水気密施工手順を示す概略斜視図である。
【図８】上記上り框部の後続の施工手順を示す概略斜視図である。
【図９】従来の住宅における床の施工手順を示す概略斜視図である。
【符号の説明】
１０  床パネル組立体
１１  床板
１２  下面根太
１３  介設断熱材
１７  上り框部
１９  基礎
２２  大引き
２５  防水気密テープ
２８  床帯板（被覆材）
３１  気密テープ
【図１】
0003763509.tif 000002
【図２】
0003763509.tif 000003
【図３】
0003763509.tif 000004
【図４】
0003763509.tif 000005
【図５】
0003763509.tif 000006
【図６】
0003763509.tif 000007
【図７】
0003763509.tif 000008
【図８】
0003763509.tif 000009
【図９】
0003763509.tif 000010